(57)【特許請求の範囲】
【請求項１】
第１外壁パネルと、上記第１外壁パネルの鉛直下側に配された第２外壁パネルとの間の横目地に取付けられる止水部材であって、
上記第２外壁パネルの鉛直上側の面に載置されるベース部を備えており、
上記ベース部には、上記止水部材が上記横目地に取付けられた状態において、上記第１外壁パネルの屋内側壁面における鉛直下側の端部と対向するように、鉛直上側に向けて立ち上がり、弾性体で形成された立ち上げ部が設けられており、
上記立ち上げ部は、一部において薄肉に形成されており、
上記薄肉に形成された部位が、上記止水部材を上記横目地に屋外側から屋内側に向けて挿入する際に、上記立ち上げ部における他の部位よりも屈曲し易くなっており、上記挿入する際における上記立ち上げ部の所望の屈曲性を担保するための屈曲部として機能し、
上記屈曲部は、上記止水部材が上記横目地に取付けられた状態において、上記第１外壁パネルにおける上記第２外壁パネルとの対向面よりも、鉛直下側に形成されていることを特徴とする止水部材。
【請求項２】
上記立ち上げ部の先端部は、上記立ち上げ部における上記先端部以外の部位よりも厚肉になっていることを特徴とする請求項１に記載の止水部材。
【請求項３】
上記立ち上げ部の先端部は、上記止水部材が上記横目地に取付けられた状態において、上記第１外壁パネルの屋内側壁面に当接することを特徴とする請求項２に記載の止水部材。
【請求項４】
第１外壁パネルと上記第１外壁パネルの鉛直下側に配された第２外壁パネルとの間の横目地に取付けられる止水部材と、上記止水部材と対向するように上記横目地に取付けられ、上記横目地に取付けられた状態において上記横目地を屋外側から覆う見切り部材と、を備えた横目地止水構造体であって、
上記止水部材には、上記第２外壁パネルの鉛直上側の面に載置されるベース部、および上記止水部材が上記横目地に取付けられた状態において、上記第１外壁パネルの屋内側壁面における鉛直下側の端部と対向するように鉛直上側に向けて立ち上がり、弾性体で形成された立ち上げ部が設けられており、
上記ベース部の鉛直上側の面には、上記見切り部材を上記横目地に固定するための突起部が、鉛直上側に向けて突出しており、
上記見切り部材には、弾性体で形成された固定リップ部が、上記見切り部材の鉛直下側の面から延伸しており、
上記固定リップ部の先端が、上記見切り部材が上記横目地に取付けられた状態において、上記突起部に掛かることを特徴とする横目地止水構造体。
【発明の詳細な説明】
【技術分野】
【０００１】
本発明は、建築物の横目地に取付けられる止水部材および横目地止水構造体に関する。
【背景技術】
【０００２】
住宅等の建築物において、屋外に露出する外壁パネルの間の目地（縦目地および横目地）には、当該建築物への雨水の浸入を防ぐために、種々の止水構造体が用いられている。従来の止水構造体としては、図７の（ａ）に示すようなシーリング材が、縦目地および横目地に取付けられるのが一般的である。また、上下方向の外壁パネルの間の横目地に用いられる止水構造の例が、特許文献１および２に開示されている。
【０００３】
すなわち、特許文献１には、外壁パネルに水密的に当接する弾性体で形成された止水ヘラが固定された支持部材を備えた水切り構造が開示されている。また、特許文献２には、１次止水部材と２次止水部材とを備えた目地構造が開示されている。ここで、２次止水部材は、上側外壁面材背面と当接して止水をなす止水片を有する止水本体を備えている。
【先行技術文献】
【特許文献】
【０００４】
【特許文献１】特開２０１０−１９００６号公報（２０１０年１月２８日公開）
【特許文献２】特開２００６−２３３４６１号公報（２００６年９月７日公開）
【発明の概要】
【発明が解決しようとする課題】
【０００５】
しかしながら、図７の（ａ）に示すシーリング材が経年劣化等により破断した場合、当該破断箇所として、図７の（ｂ）および（ｃ）に示すように、外壁パネルとシーリング材との接触箇所に生じた隙間から、雨水等は浸入する。そして、浸入した雨水等は、さらにシーリング材の下地材側の隙間に浸入することとなる。ここで、図７の（ａ）に示すシーリング材は排水可能な構造にはなっていないことから、シーリング材の下地材側の隙間に浸入した雨水等は、図７の（ｄ）に示すように、ＥＰＤＭ製のスポンジで止水し切れずに漏水する可能性があった。一方、特許文献１に開示された水切り構造、特許文献２に開示された目地構造ともに排水可能な構造になっているものの、以下のような問題点があった。
【０００６】
すなわち、特許文献１の水切り構造を構成する支持部材は、建物躯体に固定された取付部材に対してビスで固定されることにより、横目地に取付けられる構造になっている。したがって、支持部材を横目地に屋外側から屋内側に向けて挿入して取付けることができないという問題点があった。また、特許文献２の目地構造を構成する２次止水部材は、下側外壁面材と下側パネルフレームとの間に嵌合される嵌合部を有している。したがって、上側外壁面材と下側外壁面材とが予め組付けられている場合、２次止水部材を横目地に屋外側から屋内側に向けて挿入する際に嵌合部が邪魔になり、２次止水部材の取付けが困難になるという問題点があった。
【０００７】
本発明は、上記の各問題点を解決するためになされたものであり、その目的は、横目地に装着する止水構造体について、横目地への取付容易性、特に止水部材の容易な取付けを実現することにある。
【課題を解決するための手段】
【０００８】
上記の課題を解決するために、本発明の一態様に係る止水部材は、第１外壁パネルと、上記第１外壁パネルの鉛直下側に配された第２外壁パネルとの間の横目地に取付けられる止水部材であって、上記第２外壁パネルの鉛直上側の面に載置されるベース部を備えており、上記ベース部には、上記止水部材が上記横目地に取付けられた状態において、上記第１外壁パネルの屋内側壁面における鉛直下側の端部と対向するように、鉛直上側に向けて立ち上がり、弾性体で形成された立ち上げ部が設けられている。
【０００９】
上記構成によれば、本発明に係る止水部材を横目地に屋内側から屋外側に向けて挿入する際、弾性体で形成された立ち上げ部が柔軟に撓むことから、当該挿入が容易になる。また、立ち上げ部は、当該立ち上げ部が横目地の屋内側の開口部から抜け出した時点で自動的に、挿入前と同様に鉛直上側に向けて立ち上がり、第１外壁パネルの屋内側壁面における鉛直下側の端部と対向するように配置される。したがって、止水部材の横目地への挿入後に、立ち上げ部を上記のように立ち上げるための作業を別途行う必要はない。それゆえ、横目地への取付けが容易な止水部材を実現することができる。
【００１０】
また、上記の課題を解決するために、本発明の一態様に係る止水部材において、上記立ち上げ部は、一部において薄肉に形成されており、上記薄肉に形成された部位が、上記止水部材を上記横目地に屋外側から屋内側に向けて挿入する際に、上記立ち上げ部における他の部位よりも撓み易くなっており、上記挿入する際における上記立ち上げ部の所望の屈曲性を担保するための屈曲部として機能することが好ましい。
【００１１】
上記構成によれば、立ち上げ部の一部において薄肉の屈曲部が形成されていることから、本発明に係る止水部材を横目地に屋外側から屋内側に向けて挿入する際、立ち上げ部が全体的に撓むとともに、屈曲部を起点として屈曲する。それゆえ、本発明に係る止水部材の横目地への挿入がさらに容易になることから、横目地への取付けがさらに容易な止水部材を実現することができる。
【００１２】
また、上記の課題を解決するために、本発明の一態様に係る止水部材において、上記屈曲部は、上記止水部材が上記横目地に取付けられた状態において、上記第１外壁パネルにおける上記第２外壁パネルとの対向面よりも、鉛直下側に形成されていることが好ましい。
【００１３】
上記構成によれば、本発明に係る止水部材を横目地に屋内側から屋外側に向けて挿入する際、屈曲部が対向面よりも鉛直上側に形成されている場合よりも、立ち上げ部の屈曲によって、ベース部に向かって倒れ込む立ち上げ部の部位が増える。したがって、立ち上げ部をベース部に向かってより倒れ込ませることができることから、本発明に係る止水部材の横目地への挿入がさらに容易になり、ひいては横目地への取付けがさらに容易になる。
【００１４】
また、上記の課題を解決するために、本発明の一態様に係る止水部材において、上記立ち上げ部の先端部は、上記立ち上げ部における上記先端部以外の部位よりも厚肉になっていることが好ましい。
【００１５】
上記構成によれば、先端部の肉厚と、先端部以外の部位の肉厚とが同一の場合よりも、先端部における先端面の面積が大きくなる。したがって、ユーザが先端部の先端面を押圧し易くなることから、本発明に係る止水部材を横目地に屋内側から屋外側に向けて挿入する際、立ち上げ部の先端部が屋外側を向くように当該立ち上げ部を撓ませることにより、先端部の先端面を押圧して、立ち上げ部を横目地の屋内側に容易に押込むことができる。当該押込みの際、ベース部１１も立ち上げ部に追従して横目地の屋内側に押込まれることから、本発明に係る止水部材の横目地への挿入がさらに容易になり、ひいては横目地への取付けがさらに容易になる。
【００１６】
また、上記の課題を解決するために、本発明の一態様に係る止水部材において、上記立ち上げ部の先端部は、上記止水部材が上記横目地に取付けられた状態において、上記第１外壁パネルの屋内側壁面に当接することが好ましい。
【００１７】
上記構成によれば、第１外壁パネルの屋内側壁面が立ち上げ部の先端部によってシールされることから、例えば、第１外壁パネル・第２外壁パネルとこれらよりも屋内側に配置された下地材との隙間に浸入した雨水等が、横目地の屋内側の開口部から横目地内部に浸入することを効果的に防止することができる。
【００１８】
また、上記の課題を解決するために、本発明の一態様に係る横目地止水構造体は、第１外壁パネルと上記第１外壁パネルの鉛直下側に配された第２外壁パネルとの間の横目地に取付けられる止水部材と、上記止水部材と対向するように上記横目地に取付けられ、上記横目地に取付けられた状態において上記横目地を屋外側から覆う見切り部材と、を備えた横目地止水構造体であって、上記止水部材には、上記第２外壁パネルの鉛直上側の面に載置されるベース部、および上記止水部材が上記横目地に取付けられた状態において、上記第１外壁パネルの屋内側壁面における鉛直下側の端部と対向するように鉛直上側に向けて立ち上がり、弾性体で形成された立ち上げ部が設けられており、上記ベース部の鉛直上側の面には、上記見切り部材を上記横目地に固定するための突起部が、鉛直上側に向けて突出しており、上記見切り部材には、弾性体で形成された固定リップ部が、上記見切り部材の鉛直下側の面から延伸しており、上記固定リップ部の先端が、上記見切り部材が上記横目地に取付けられた状態において、上記突起部に掛かる。
【００１９】
上記構成によれば、止水部材を横目地に屋内側から屋外側に向けて挿入する際、弾性体で形成された立ち上げ部が柔軟に撓むことから、当該挿入が容易になる。また、見切り部材を横目地に屋内側から屋外側に向けて挿入する際、弾性体で形成された固定リップ部が柔軟に撓むことから、当該挿入が容易になる。それゆえ、横目地への取付けが容易な横目地止水構造体を実現することができる。
【発明の効果】
【００２０】
本発明の一態様によれば、横目地への取付けが容易な止水部材および横目地止水構造体を実現することができる。
【図面の簡単な説明】
【００２１】
【図１】本発明の一実施形態に係る横目地止水構造体の概略構成を示す断面図である。
【図２】（ａ）〜（ｃ）は、本発明の一実施形態に係る横目地止水構造体の組付け手順の一例を示す概略図である。
【図３】（ａ）〜（ｃ）は、本発明の一実施形態に係る横目地止水構造体の組付け手順の他の例を示す概略図である。
【図４】本発明に係る横目地止水構造体の変形例の概略構成を示す断面図である。
【図５】（ａ）〜（ｃ）は、本発明に係る横目地止水構造体の変形例について、その組付け手順の一例を示す概略図である。
【図６】（ａ）〜（ｃ）は、本発明に係る横目地止水構造体の変形例について、その組付け手順の他の例を示す概略図である。
【図７】（ａ）は、従来のシーリング材が建築物の目地に装着されている様子を模式的に示す外観図である。（ｂ）は、図７の（ａ）に示す縦目地に装着された従来のシーリング材のＡ−Ａ線矢視断面図である。（ｃ）は、図７の（ａ）に示す横目地に装着された従来のシーリング材のＢ−Ｂ線矢視断面図である。（ｄ）は、図７の（ａ）に示す横目地に装着された従来のシーリング材のＣ−Ｃ線矢視断面図である。
【発明を実施するための形態】
【００２２】
＜横目地止水構造体の構造＞
まず、図１を参照して、本発明の一実施形態に係る横目地止水構造体３０の構造について説明する。図１は、横目地止水構造体３０の概略構成を示す断面図である。なお、以下の説明では、便宜上、鉛直上側を上方、鉛直下側を下方、紙面に向かって右側を右方、紙面に向かって左側を左方とする。また、右方が屋内側であり、左方が屋外側である。
【００２３】
横目地止水構造体３０は、下地材３に固定された上側外壁パネル（第１外壁パネル）１と下側外壁パネル（第２外壁パネル）２との間の横目地Ｍに取付けることによって、横目地Ｍへの雨水等の浸入を防止する。また、横目地止水構造体３０は、横目地Ｍの内部に浸入した雨水等を屋外に排出する。横目地止水構造体３０は、図１に示すように、止水部材１０および見切り部材２０を備えている。なお、下地材３は、柱、梁、フレームまたは壁等で構成される。
【００２４】
（止水部材）
止水部材１０は、横目地Ｍの内部に浸入した雨水等を屋外に排水するとともに、見切り部材２０に設けられた固定リップ部２３（詳細については後述）と相まって、見切り部材２０を横目地Ｍに固定する役割を果たす。止水部材１０は、図１に示すように、ベース部１１と立ち上げ部１２とを備えている。ベース部１１は、例えば金属または硬質樹脂等で形成されている。立ち上げ部１２は、例えば、天然ゴム、ＩＲ（イソプレンゴム）またはＣＲ（クロロプレンゴム）を主体とするゴム材料、または様々な熱可塑性エストラマー、ウレタン、ＰＶＣ（ポリ塩化ビニル）、その他軟質樹脂といったゴム様弾性体で形成されている。なお、本明細書において、ゴム材料またはゴム様弾性体を総称して「弾性体」と記載する。
【００２５】
ベース部１１は、下側外壁パネル２の上面（鉛直上側の面）２ａに載置される。ベース部１１の上面における横目地Ｍ内に配置された部分は、横目地Ｍの内部に浸入した雨水等を屋外側に排水するために、屋内側から屋外側へ向けて下方向に連続して傾斜している。また、ベース部１１の下面は、ユーザが、止水部材１０を横目地Ｍに屋外側から屋内側に向けて挿入し易いように、かつベース部１１が横目地Ｍに安定的に固定されるために、面一となっている。
【００２６】
なお、ベース部１１の上面に上述のような傾斜を設けることは必須ではない。しかし、雨水等の屋外への排水を考慮すれば、上述のような傾斜が設けられているのが好ましい。また、ベース部１１の下面も面一である必要はない。換言すれば、ベース部１１の下面は、ユーザによる横目地Ｍへの屋外側から屋内側に向けての挿入が容易であり、かつ、止水部材１０が下側外壁パネル２の上面２ａに載置された状態において、止水部材１０が横目地Ｍに安定的に固定されるような形状であればよい。
【００２７】
また、ベース部１１の屋外側端部からは、見切り部材２０に設けられた固定リップ部２３の先端２３ａに掛かる突起部１１ａが、上方向に突出している。また、突起部１１ａは、ベース部１１の長手方向（紙面向かって垂直方向）に沿って壁状に形成されている。この突起部１１ａに固定リップ部２３の先端２３ａが掛かるとともに、取付基部２２（具体的には、２つの当接リップ部２２ａおよび止水スポンジ２２ｂ；取付基部２２の詳細については後述）が上側外壁パネル１の下面１ａに当接することによって、見切り部材２０が横目地Ｍに固定される。
【００２８】
なお、突起部１１ａがベース部１１の屋外側端部に設けられることは必須ではなく、見切り部材２０の化粧部２１（詳細については後述）が横目地Ｍの内部に配置されないように、ベース部１１の上面から突出していればよい。また、突起部１１ａに、見切り部材２０の固定リップ部２３に形成された排水流路２３ｂの形成位置・個数に対応する切り欠き形状の突起部側排水流路（不図示）を形成してもよい。このような突起部側排水流路を形成することで、固定リップ部２３の排水流路２３ｂから流れ出た雨水等を屋外に排水し易くすることができる。
【００２９】
さらに、ベース部１１の屋内側端部の端面は、止水部材１０が横目地Ｍに取付けられた状態において、下地材３の屋外側壁面３ａに当接する。このように、ベース部１１の屋内側端部の端面が下地材３の屋外側壁面３ａに当接することにより、ユーザが、止水部材１０を横目地Ｍに屋外側から屋内側に向けて挿入した際、止水部材１０の位置決めを容易に行えるとともに、止水部材１０の横目地Ｍへの固定がより確実になる。なお、止水部材１０が横目地Ｍに取付けられた状態において、ベース部１１の屋内側端部の端面が下地材３の屋外側壁面３ａに当接することは必須ではない。すなわち、止水部材１０が横目地Ｍに取付けられた状態において、ベース部１１の屋内側端部と下地材３との間に隙間が形成されていてもよい。
【００３０】
また、ベース部１１の屋内側端部には、当該ベース部１１の長手方向に切り欠き形状の通気経路１１ｂが複数形成されている。通気経路１１ｂは、上側外壁パネル１・下側外壁パネル２と下地材３との間に形成された通気層において通気を妨げないように、あるいは通気層の上方から浸入した雨水等を下方に排水するための空間である。なお、通気経路１１ｂの形状・個数については、止水部材１０の位置決め・横目地Ｍへの固定に影響を及ぼさない範囲内であれば、任意に設計することができる。
【００３１】
横目地止水構造体３０が横目地Ｍに取付けられた状態において形成される、(i)下側外壁パネル２の上面２ａ、(ii)ベース部１１の上面および屋外側の端面、(iii)見切り部材２０における化粧部２１の屋内側の面、(iv)取付基部２２の下面並びに(v)固定リップ部２３の屋外側の面で囲まれた空間は、雨水等を屋外に排水するための排水空間として機能する。なお、前記の排水空間には排水流路２３ｂも含まれる。
【００３２】
立ち上げ部１２は、ベース部１１の上面から鉛直上側に向けて立ち上がっている略平板形状の部位であり、ベース部１１の長手方向に沿って形成されている。また、立ち上げ部１２は、止水部材１０が横目地Ｍに取付けられた状態において、上側外壁パネル１の屋内側壁面１ｂの下端部（鉛直下側の端部）と対向するような、鉛直方向の長さおよびベース部１１上の配置位置となっている。上述のような立ち上げ部１２の鉛直方向の長さ・ベース部１１上の配置位置とすることで、上側外壁パネル１・下側外壁パネル２と下地材３との間に形成された通気層の上方から浸入した雨水等が、横目地Ｍの屋内側の開口部を通じて横目地Ｍに浸入するのを防ぐ。あるいは、見切り部材２０の取付基部２２と、上側外壁パネル１との隙間から浸入してきた雨水等が、さらに上記の通気層に浸入するのを防ぐ。
【００３３】
また、立ち上げ部１２の先端部１２ａは、立ち上げ部１２における先端部１２ａ以外の部位よりも厚肉になっているとともに、止水部材１０が横目地Ｍに取付けられた状態において、当該先端部１２ａの屋外側の端面が上側外壁パネル１の屋内側壁面１ｂに当接する。立ち上げ部１２の先端部１２ａの形状・大きさを上述のようにすることで、上側外壁パネル１の屋内側壁面１ｂが立ち上げ部１２の先端部１２ａによってシールされ、通気層から横目地Ｍへの雨水等の浸入をより確実に防止することができる。さらに、止水部材１０を横目地Ｍに挿入する場合、立ち上げ部１２の先端部１２ａが屋外側を向くように撓ませるが、先端部１２ａの先端面が広くなっていることにより、当該挿入の際に、ユーザが立ち上げ部１２を屋内側に押込み易くなる。
【００３４】
なお、止水部材１０の横目地Ｍへの挿入時における、立ち上げ部１２の押込み易さのみを考慮するのであれば、立ち上げ部１２の先端部１２ａの肉厚を、上側外壁パネル１の屋内側壁面１ｂに当接する程度まで厚肉にする必要はない。また、立ち上げ部１２において、先端部１２ａとその他の部位との肉厚が同じであっても横目地Ｍへの雨水等の浸入をある程度防止できることから、先端部１２ａをその他の部位よりも厚肉にすることは必須ではない。
【００３５】
さらに、立ち上げ部１２における、根元付近の部位および上下方向の中間部位は、これらの部位以外の部位よりも薄肉に形成されている。具体的には、上記の根元付近の部位および上下方向の中間部位には、それぞれ、屋内側および屋外側に略同じ大きさ・深さの窪みが形成されている。また、上記の上下方向の中間部位は、止水部材１０が横目地Ｍに取付けられた状態において、上側外壁パネル１の下面１ａよりも鉛直下側に形成されている。
【００３６】
これら薄肉に形成された部位は、止水部材１０を横目地Ｍに屋外側から屋内側に向けて挿入する際に、立ち上げ部１２における他の部位よりも撓み易くなっており、当該挿入する際における立ち上げ部１２の所望の屈曲性を担保するための屈曲部１２ｂとして機能する。立ち上げ部１２にこのような屈曲部１２ｂを形成することにより、止水部材１０が、横目地Ｍに屋外側から屋内側に向けてより挿入し易くなる。
【００３７】
なお、屈曲部１２ｂの個数・形成位置・形状については、上述の場合に限定されない。屈曲部１２ｂは、止水部材１０を横目地Ｍに屋外側から屋内側に向けてより挿入し易くするための部位であることから、その個数は１つであってもよいし、立ち上げ部１２に屈曲部１２ｂが形成されていなくてもよい。また、屈曲部１２ｂの形成位置についても、任意に設計することができる。ただし、横目地Ｍへの挿入時における立ち上げ部１２全体の撓み易さの点では、屈曲部１２ｂは、止水部材１０が横目地Ｍに取付けられた状態において、上側外壁パネル１の下面１ａよりも鉛直下側に形成されているのが好ましい。さらには、少なくとも立ち上げ部１２の根元付近に屈曲部１２ｂが形成されているのがより好ましい。また、屈曲部１２ｂの形状についても、任意に設計することができる。ただし、止水部材１０の横目地Ｍへの挿入時において、立ち上げ部１２全体を屋外側により撓ませ易くするには、少なくとも立ち上げ部１２における屋外側の面の一部を窪ませるのが好ましい。
【００３８】
換言すれば、止水部材１０を、横目地Ｍに屋外側から屋内側に向けてより挿入し易くするためには、立ち上げ部１２がその一部において薄肉に形成されていればよい。
【００３９】
（見切り部材）
見切り部材２０は、止水部材１０と対向するように横目地Ｍに取付けられることによって、横目地Ｍの屋外側から雨水等が浸入することを防止するものであり、図１に示すように、化粧部２１と取付基部２２とが連なって形成されている。化粧部２１および取付基部２２は、例えば弾性体または硬質樹脂等で形成されている。
【００４０】
化粧部２１は、平板形状の部位であり、横目地Ｍを屋外から視認できないようにするために横目地Ｍの屋外側の開口部を覆っている。また、化粧部２１の屋外側の面は、例えば硬質樹脂等によって被覆されている。
【００４１】
取付基部２２は、上側外壁パネル１の下面（第１外壁パネルにおける第２外壁パネルとの対向面）１ａと対向するように配置される平板形状の部位であり、取付基部２２の上面における屋外側端面および屋内側端面には、それぞれ上側外壁パネル１の下面１ａに当接するヒレ形状の当接リップ部２２ａが設けられている。また、当該２つの当接リップ部２２ａの間には、防水層としてのＥＰＤＭ（エチレン・プロピレンジエンモノマー）を主体とする止水スポンジ２２ｂが取り付けられており、当該止水スポンジ２２ｂも上側外壁パネル１の下面１ａに当接する。このように、２つの当接リップ部２２ａおよび止水スポンジ２２ｂが、上側外壁パネル１の下面１ａに当接することにより、取付基部２２と上側外壁パネル１との隙間から雨水等が浸入することを防止する。
【００４２】
なお、２つの当接リップ部２２ａを設けることなく、かつ止水スポンジ２２ｂを取り付けることなく、取付基部２２の上面を上側外壁パネル１の下面１ａに直接当接させてもよい。
【００４３】
また、取付基部２２の屋内側端部には、見切り部材２０を横目地Ｍに固定するための固定リップ部２３が、見切り部材２０の長手方向（紙面向かって垂直方向）に沿って複数設けられている。具体的には、図１に示すように、見切り部材２０が横目地Ｍに取付けられた状態において固定リップ部２３の先端２３ａが屋内側を向くように、取付基部２２の屋内側端部の下面（見切り部材の鉛直下側の面）から延伸している。
【００４４】
固定リップ部２３は、上述の弾性体（ゴム材料またはゴム様弾性体）で形成されている。また、見切り部材２０が横目地Ｍに取付けられた状態において、固定リップ部２３の先端２３ａが後述する止水部材１０の突起部１１ａに掛かることにより、見切り部材２０が横目地Ｍに弾性的に固定される。
【００４５】
したがって、上側外壁パネル１の鉛直方向の位置が変化した場合でも、固定リップ部２３によって見切り部材２０が横目地Ｍに弾性的に固定されていることから、取付基部２２と上側外壁パネル１との間に隙間が生じるのを防ぐことができる。また、固定リップ部２３は、上述の弾性体で形成されていることから、ユーザが、見切り部材２０を横目地Ｍに屋外側から屋内側に挿入する際に柔軟に撓んで邪魔にならず、かつ固定リップ部２３の先端２３ａを突起部１１ａに容易に掛けることができる。
【００４６】
さらに、互いに隣り合う２つの固定リップ部２３の間の空間は、雨水等を屋内側から屋外側に排水するための排水流路２３ｂとして機能する。なお、排水流路２３ｂの個数および大きさは、固定リップ部２３による見切り部材２０の固定に影響を及ぼさない範囲内であれば、任意に設計することができる。
【００４７】
また、取付基部２２の内部には、当該取付基部２２の剛性を高くし、見切り部材２０の横目地への固定力を向上させるための芯材２４が埋め込まれている。芯材２４は、平板形状の部材における長手方向（紙面向かって垂直方向）の２つの外縁を、それぞれ折り返すことによって成形されており、鉄をはじめとする各種金属または硬質樹脂等の材料で形成されている。
【００４８】
本実施形態では、芯材２４について、図１に示すように、屋外側の外縁は芯材２４の下方から当該芯材２４の中央に向けて折り返されており、屋内側の外縁は芯材２４の上方から当該芯材２４の中央に向けて折り返されている。しかし、芯材２４における長手方向の外縁の折り返しについては、上述の場合に限定されない。例えば、屋外側の外縁の折り返しと、屋内側の外縁の折り返しとが、上述の場合と逆になっていてもよい。また、上記外縁の折り返しは、取付基部２２の剛性をより高めるための成形であることから、芯材２４に上記外縁の折り返しがあることは必須ではない。さらには、取付基部２２の内部に芯材２４が埋め込まれていなくても見切り部材２０の横目地Ｍへの固定は可能であることから、取付基部２２の内部に芯材２４が埋め込まれていること自体も必須ではない。
【００４９】
＜横目地止水構造体の組付け手順＞
次に、図２および図３を参照して、本発明の一実施形態に係る横目地止水構造体３０の組付け手順について説明する。図２の（ａ）〜（ｃ）は、横目地止水構造体３０の組付け手順の一例を示す概略図である。図３の（ａ）〜（ｃ）は、横目地止水構造体３０の組付け手順の他の例を示す概略図である。
【００５０】
（止水部材を先付けする場合）
（１）  まず、図２の（ａ）に示すように、止水部材１０のベース部１１を下側外壁パネル２の上面２ａに載置する。当該載置の際、ベース部１１における屋内側端部の端面を下地材３の屋外側壁面３ａに当接させる。
【００５１】
（２）  次に、図２の（ｂ）に示すように、上側外壁パネル１を下側外壁パネル２の上方に設置する。当該設置の際、立ち上げ部１２における先端部１２ａの屋外側の端面を、上側外壁パネル１の屋内側壁面１ｂに当接させる。
【００５２】
（３）  次に、図２の（ｃ）に示すように、見切り部材２０を横目地Ｍに屋外側から屋内側に向けて挿入することにより、見切り部材２０を横目地Ｍに取付ける。具体的には、見切り部材２０における固定リップ部２３の先端２３ａが屋外側を向くように、当該固定リップ部２３を撓ませつつ（固定リップ部２３と止水部材１０におけるベース部１１の屋外側端部とが、互いに干渉しないようにするため）、見切り部材２０における取付基部２２の屋内側端部を横目地Ｍの屋内側に差し込む。この時、取付基部２２の当接リップ部２２ａおよび止水スポンジ２２ｂを、上側外壁パネル１の下面１ａに当接させる。
【００５３】
次に、固定リップ部２３の先端２３ａを、止水部材１０におけるベース部１１の突起部１１ａに掛けつつ、見切り部材２０の化粧部２１が横目地Ｍの屋外側の開口部付近に配置されるように見切り部材２０の位置決めを行うことにより、組付けは完了する。なお、固定リップ部２３は、上述の弾性体で形成されていることから、組付け後の固定リップ部２３は、組付け前よりも撓んだ状態となる。
【００５４】
（止水部材を後付けする場合）
（１）  まず、止水部材１０を横目地Ｍに屋外側から屋内側に向けて挿入することにより、止水部材１０を横目地Ｍに取付ける。具体的には、図３の（ａ）に示すように、止水部材１０における立ち上げ部１２の先端部１２ａが屋外側を向くように２つの屈曲部１２ｂを撓ませることで、立ち上げ部１２全体を撓ませつつ、止水部材１０におけるベース部１１の屋内側端部を横目地Ｍの屋内側に差し込む。そして、当該差し込みの後、屋外側を向いている先端部１２ａの先端面をユーザの指等で押圧することにより、ベース部１１の屋内側端部の端面が下地材３の屋外側壁面３ａに当接するまで、立ち上げ部１２を横目地Ｍの屋内側に押込む。この押込みに追従して、ベース部１１も横目地Ｍの屋内側に押込まれる。
【００５５】
（２）  次に、ユーザによる立ち上げ部１２の押込みによって、当該立ち上げ部１２の先端部１２ａが横目地Ｍの屋内側の開口部から通気層に抜け出すことにより、立ち上げ部１２の形状が差し込み前の状態に復元する。また、立ち上げ部１２の先端部１２ａが通気層に抜け出した時点で、ベース部１１の屋内側端部の端面が下地材３の屋外側壁面３ａに当接するとともに、先端部１２ａの屋外側の端面が上側外壁パネル１の屋内側壁面１ｂに当接する。これにより、止水部材１０の下側外壁パネル２への載置および位置決めが完了する。
【００５６】
（３）  次に、図３の（ｃ）に示すように、見切り部材２０を横目地Ｍに屋外側から屋内側に向けて挿入することにより、見切り部材２０を横目地Ｍに取付ける。この手順の詳細については、上述した止水部材１０を先付けする場合と同様であるため、その説明を省略する（図２の（ｃ）参照）。
【００５７】
＜横目地止水構造体の変形例＞
次に、図４〜図６を参照して、本発明に係る横目地止水構造体の変形例について説明する。なお、説明の便宜上、上述の実施形態にて説明した部材と同じ機能を有する部材については、同じ符号を付記し、その説明を省略する。図４は、横目地止水構造体３１の概略構成を示す断面図である。図５の（ａ）〜（ｃ）は、横目地止水構造体３１の組付け手順の一例を示す概略図である。図６の（ａ）〜（ｃ）は、横目地止水構造体３１の組付け手順の他の例を示す概略図である。
【００５８】
横目地止水構造体３１は、見切り部材２０に代えて見切り部材４０が構成要素となっている点において、本発明の一実施形態に係る横目地止水構造体３０と異なる。
【００５９】
（横目地止水構造体の変形例の構造）
図４に示すように、横目地止水構造体３１は、止水部材１０および見切り部材４０を備えている。また、見切り部材４０には、取付基部２２と固定リップ部２３とを接続する接続部４１が設けられている（見切り部材４０における他の構成については、見切り部材２０と同様である）。
【００６０】
接続部４１は、上述の弾性体（ゴム材料またはゴム様弾性体）で形成されており、取付基部２２の屋外側端部と固定リップ部２３の端部とを連結している。見切り部材２０が横目地Ｍに取付けられた状態において、接続部４１が撓むことにより生じる反力が、取付基部２２を上側外壁パネル１に押し付ける働きをするとともに、固定リップ部２３および止水部材１０のベース部１１を下側外壁パネル２に押し付ける働きをする。したがって、接続部４１は、見切り部材４０および止水部材１０の横目地Ｍへの固定を確実にする役割を果たす。なお、成形材料として用いられる弾性体としては、例えば固定リップ部２３と同一の材料であってもよいし、異なっていてもよい。
【００６１】
ここで、取付基部２２の下面、固定リップ部２３の屋外側の面および接続部４１の屋内側の面で囲まれた空間は、横目地Ｍの内部に浸入した雨水等を屋外に排水するための排水空間４２となることから、当該排水空間４２はなるべく広く形成されていることが好ましい。したがって、例えば、見切り部材４０が横目地Ｍに取付けられる前の状態において、接続部４１の形状が固定リップ部２３側に凸となるように湾曲した形状となっている場合、見切り部材４０が横目地Ｍに取付けられると接続部４１が固定リップ部２３側に凸となるように大きく撓んでしまい、上記の空間が非常に狭くなる。以上のことから、接続部４１の形状は、見切り部材４０が横目地Ｍに取付けられる前の状態において、化粧部２１側に凸となるように若干湾曲した形状となっている。
【００６２】
接続部４１の形状を上述のようにすることで、図４に示すように、見切り部材４０が横目地Ｍに取付けられた状態においても排水空間４２を広く確保することができ、当該排水空間４２内に浸入した雨水等が滞留することなく、屋外に円滑に排水される。
【００６３】
また、接続部４１には、雨水等を屋内側から屋外側に排水するための切り欠き形状の排水流路４１ａが、接続部４１の長手方向（紙面向かって垂直方向）に沿って複数形成されている。なお、排水流路４１ａの個数・大きさ・形状は、互いに隣り合う２つの固定リップ部２３の間に形成された排水流路２３ｂの個数・大きさ・形状に対応させてもよいし、排水流路４１ａの個数等を排水流路２３ｂの個数等と異ならせてもよい。換言すれば、排水流路４１ａの個数等は、雨水等の排水に影響を及ぼさない範囲内であれば、任意に設計することができる。
【００６４】
なお、図示しないものの、本発明に係る止水部材の実施形態についても、上述の止水部材１０のみならず、例えば立ち上げ部の形状がヒレ形状であったり、あるいは立ち上げ部の肉厚が根元から先端まで同一であったり、様々なバリエーションが想定される。
【００６５】
上述のように、見切り部材４０に接続部４１が設けられていることによって、見切り部材４０および止水部材１０の横目地Ｍへの固定がより確実になる。それゆえ、横目地止水構造体３１は、横目地Ｍへの取付けの容易性を確保しつつ、より確実な横目地Ｍへの固定を実現している。
【００６６】
（止水部材を先付けする場合における、横目地止水構造体の変形例の組付け手順）
（１）  まず、図５の（ａ）に示すように、止水部材１０の下側外壁パネル２への載置・位置決めを行う。次に、図５の（ｂ）に示すように、上側外壁パネル１の設置・立ち上げ部１２の先端部１２ａの上側外壁パネル１への当接を行う。これらの手順については、上述した、止水部材１０を先付けする場合における横目地止水構造体３０の組付け手順（図２の（ａ）および（ｂ）参照）と同様である。
【００６７】
（２）  次に、図５の（ｃ）に示すように、見切り部材４０を横目地Ｍに屋外側から屋内側に向けて挿入することにより、見切り部材４０を横目地Ｍに取付ける。具体的には、見切り部材４０における固定リップ部２３の先端２３ａが屋外側を向くように当該固定リップ部２３を撓ませると同時に、接続部４１を化粧部２１に向けて凸となるように撓ませる。そして、この状態を維持しつつ、見切り部材４０における取付基部２２の屋内側端部を横目地Ｍの屋内側に差し込む。この時、取付基部２２の当接リップ部２２ａおよび止水スポンジ２２ｂを、上側外壁パネル１の下面１ａに当接させる。
【００６８】
次に、固定リップ部２３の先端２３ａを、止水部材１０におけるベース部１１の突起部１１ａに掛けつつ、見切り部材４０の化粧部２１が横目地Ｍの屋外側の開口部付近に配置されるように見切り部材２０の位置決めを行うことにより、組付けは完了する。
【００６９】
（止水部材を後付けする場合における、横目地止水構造体の変形例の組付け手順）
（１）  まず、図６の（ａ）に示すように、止水部材１０を横目地Ｍに屋外側から屋内側に向けて挿入する。次に、図６の（ｂ）に示すように、止水部材１０の下側外壁パネル２への載置・位置決めを行う。これらの手順については、上述した、止水部材１０を後付けする場合における横目地止水構造体３０の組付け手順（図３の（ａ）および（ｂ）参照）と同様である。
【００７０】
（２）  次に、図６の（ｃ）に示すように、見切り部材４０を横目地Ｍに屋外側から屋内側に向けて挿入することにより、見切り部材４０を横目地Ｍに取付ける。この手順については、上述した、止水部材１０を先付けする場合における横目地止水構造体３１の組付け手順（図５の（ｃ）参照）と同様である。
【００７１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００７２】
１：上側外壁パネル（第１外壁パネル）
１ａ：下面（第１外壁パネルにおける第２外壁パネルとの対向面）
１ｂ：屋内側壁面    ２：下側外壁パネル（第２外壁パネル）
２ａ：上面（鉛直上側の面）    １０：止水部材    １１：ベース部
１１ａ：突起部      １２：立ち上げ部    １２ａ：先端部    １２ｂ：屈曲部
２０、４０：見切り部材    ２３：固定リップ部    ２３ａ：先端
３０、３１  横目地止水構造体    Ｍ：横目地
【図１】
0006706124.tif 000002
【図２】
0006706124.tif 000003
【図３】
0006706124.tif 000004
【図４】
0006706124.tif 000005
【図５】
0006706124.tif 000006
【図６】
0006706124.tif 000007
【図７】
0006706124.tif 000008